(57)【要約】無線通信システム内で動作できる移動ステーションのための装置及び関連方法が開示される。ネットサーチオペレーションを実行する際に移動ステーションを使用する便利さが改善される。移動ステーションに入力されたサーチ問合せは、移動ステーションに配置されたメモリに選択的に記憶される。その後のサーチにおいて同じサーチ問合せが再使用される場合に、サーチ問合せがメモリから検索されて再使用され、これにより、移動ステーションのユーザがサーチ問合せ全体を再入力する必要性を排除する。
2004502206.tif 000002
【特許請求の範囲】
【請求項１】
ネットサーチオペレーションに準じたサーチパターンであってデータシーケンスで各々形成されたサーチパターンを少なくとも発生するように無線通信システム内で動作できる移動ステーションにおいて、移動ステーションのユーザによって開始されるネットサーチオペレーションを容易にするためのユーザインターフェイス装置の改良が、
第１ネットサーチオペレーションに準じてユーザにより入力された少なくとも第１のサーチパターンを記憶するように選択的に動作できる記憶要素と、
上記記憶要素に接続され、上記少なくとも第１のサーチパターンの選択されたサーチパターンを検索するためのユーザによる要求を受け取り、その要求に応答して上記記憶要素から選択されたサーチパターンを検索するための検索装置とを備え、上記選択されたサーチパターンは、それが検索されると、その後のネットサーチオペレーションに準じて使用できることを特徴とするユーザインターフェイス装置。
【請求項２】
上記記憶要素は、複数のサーチパターンを記憶できる記憶容量のものである請求項１に記載のユーザインターフェイス装置。
【請求項３】
上記記憶要素に接続され、第１のネットサーチオペレーションに準じて上記少なくとも第１のサーチパターンを入力するようにユーザにより選択的に操作できるユーザアクチュエータを更に備えた請求項１に記載のユーザインターフェイス装置。
【請求項４】
上記ユーザアクチュエータは、更に、上記記憶要素における上記少なくとも第１のサーチパターンの記憶を選択するように選択的に操作できる請求項３に記載のユーザインターフェイス装置。
【請求項５】
上記ユーザアクチュエータは上記検索装置に更に接続され、そして上記検索装置が受け取るために接続される要求は、上記ユーザアクチュエータの選択されたユーザ操作により発生される請求項３に記載のユーザインターフェイス装置。
【請求項６】
上記無線通信システムは、無線ネットワークインフラストラクチャーと、それに接続されたウェブブラウザサーチエンジンとを備え、ネットサーチオペレーションは、ウェブブラウザサーチを含み、そして上記ユーザアクチュエータの付加的な選択された操作が移動ステーションにおけるサーチ要求の発生を開始し、このサーチ要求は、上記少なくとも第１のサーチパターンにより定義される請求項３に記載のユーザインターフェイス装置。
【請求項７】
上記ユーザアクチュエータは、更に、上記記憶要素における上記少なくとも第１のサーチパターンの記憶を選択するよう選択的に操作でき、上記少なくとも第１のサーチパターンの記憶を選択するための上記ユーザアクチュエータの操作は、移動ステーションにおいてサーチ要求の発生を開始する前に行われる請求項６に記載のユーザインターフェイス装置。
【請求項８】
上記ユーザアクチュエータは、更に、上記記憶要素における上記少なくとも第１のサーチパターンの記憶を選択するよう選択的に操作でき、上記少なくとも第１のサーチパターンの記憶を選択するための上記ユーザアクチュエータの操作は、移動ステーションにおいてサーチ要求の発生を開始した後に行われる請求項６に記載のユーザインターフェイス装置。
【請求項９】
上記ウェブブラウザサーチエンジンは、サーチ要求に応答してサーチを実行して、サーチ結果を発生し、このサーチ結果は移動ステーションへ返送され、そして少なくとも第１のサーチ結果の記憶を選択するための上記ユーザアクチュエータの操作は、サーチ結果を移動ステーションで受け取った後に行われる請求項８に記載のユーザインターフェイス装置。
【請求項１０】
上記ウェブブラウザサーチエンジンは、移動ステーションに返送されたサーチ結果に応答してサーチを実行し、そして上記装置は、更に、上記ウェブブラウザサーチエンジンにより返送されたサーチ結果を表示するためのユーザディスプレイを備えた請求項８に記載のユーザインターフェイス装置。
【請求項１１】
第１のネットサーチオペレーションに準じてユーザにより入力されたサーチパターンを表示するためのユーザディスプレイを更に備えた請求項１に記載のユーザインターフェイス装置。
【請求項１２】
上記記憶要素に接続され、上記記憶要素に記憶された上記少なくとも第１のサーチパターンの指示を表示するためのユーザディスプレイを更に備えた請求項１に記載のユーザインターフェイス装置。
【請求項１３】
上記記憶要素には複数のサーチパターンが記憶され、そして複数のサーチパターン各々の指示を上記ユーザディスプレイに表示できる請求項１２に記載のユーザインターフェイス装置。
【請求項１４】
上記検索装置が受け取るために接続される要求は、複数のサーチパターン各々の指示が表示された後にユーザによりなされる請求項１３に記載のユーザインターフェイス装置。
【請求項１５】
上記無線通信システムは、無線ネットワークインフラストラクチャー及びそれに接続されたウェブブラウザサーチエンジンを備え、上記ネットサーチオペレーションはウェブブラウザサーチを含み、そして上記ユーザアクチュエータの付加的な選択された操作がその後のウェブブラウザサーチの発生を開始し、上記その後のウェブブラウザサーチは、上記検索装置により検索された選択されたサーチパターンにより定義される請求項１３に記載のユーザインターフェイス装置。
【請求項１６】
ネットサーチオペレーションに準じたサーチパターンであってデータシーケンスで各々形成されたサーチパターンを少なくとも発生するように動作できる移動ステーションを有する無線通信システム内で通信するための方法において、移動ステーションのユーザによって開始されるネットサーチオペレーションを容易にするための方法の改良が、
第１ネットサーチオペレーションに準じてユーザにより入力された少なくとも第１のサーチパターンを選択的に記憶し、そして
上記選択的記憶オペレーション中に記憶された上記少なくとも第１のサーチパターンの選択されたサーチパターンを選択的に検索する、
という段階を含むことを特徴とする方法。
【請求項１７】
上記選択的検索オペレーション中に検索された上記選択されたサーチパターンを、その後のネットサーチオペレーションに準じて使用するという付加的なオペレーションを含む請求項１６に記載の方法。
【請求項１８】
上記選択的記憶オペレーションは、移動ステーションのユーザにより開始される請求項１６に記載の方法。
【請求項１９】
上記選択的検索オペレーションは、移動ステーションのユーザにより開始される請求項１６に記載の方法。
【請求項２０】
上記選択的検索オペレーションの前に、第１のネットサーチオペレーションに準じてユーザにより入力された少なくとも第１のサーチパターンを使用して、第１のネットサーチオペレーションを実行するという付加的なオペレーションを含む請求項１６に記載の方法。
【発明の詳細な説明】
【０００１】
【技術分野】
本発明は、一般に、セルラー通信システムのような無線通信システム内で動作できる移動ステーションの使用によりネットサーチオペレーションを実行することに係る。より詳細には、本発明は、移動ステーションにおけるネットサーチオペレーションの開始を容易にするためのユーザインターフェイス及び関連方法に係る。移動ステーションのユーザにより入力されたサーチパターンは、移動ステーションに選択的に記憶される。同じネットサーチオペレーションがその後実行される場合には、そのサーチパターンが検索されて再使用される。従って、移動ステーションのユーザは、ネットサーチオペレーションを繰り返すために同じサーチパターンを再入力する必要がない。
【０００２】
【背景技術】
通信システムは、少なくとも、通信チャンネルにより相互接続された送信ステーション及び受信ステーションで形成される。送信ステーションにより発生された通信信号は、通信チャンネルに送信され、その後、受信ステーションによって受信される。
無線通信システムは、通信チャンネルの少なくとも一部分が電磁スペクトルの一部分により形成された通信システムである。送信ステーションと受信ステーションとの間に固定接続即ちハード布線接続を形成する必要がないので、高い通信移動性が許される。
セルラー通信システムは、無線通信システムの一例である。セルラー通信システムの加入者は、セルラー通信システムのネットワークインフラストラクチャーにより包囲されたエリア内の位置にいるときに、移動ステーションの使用によりシステムを介して通信することができる。移動ステーションは、通信システムのネットワークインフラストラクチャーと移動ステーションとの間に形成された無線チャンネルに通信される無線信号を送受信することのできる無線トランシーバ回路を備えている。
【０００３】
セルラー通信システムのネットワークインフラストラクチャーは、ある間隔にされた固定サイトベースステーションを備え、これらのベースステーションも、システム内で動作できる移動ステーションと通信信号を送受信できる無線トランシーバを備えている。各固定サイトベースステーションはセルを定義し、そして加入者により使用される移動ステーションが、次々のベースステーションにより定義されたセル間を移動するときに、１つのベースステーションから別のベースステーションへ通信をハンドオーバーすることにより、移動ステーションによる中断のない通信が可能となる。ベースステーションの配置により、移動ステーションとベースステーションとの間で通信するために比較的低電力の信号を発生するだけでよい。セルラー通信システムで包囲されたエリア全体にわたりある間隔の位置で同じチャンネル周波数を再使用することができ、セルラー通信システムに割り当てられた帯域巾を比較的効率的に利用することができる。
【０００４】
セルラー通信システムに割り当てられた帯域巾が比較的効率的に利用されるにも関わらず、その割り当てられた帯域巾は、セルラー通信システムの通信容量の限定ファクタとなることがある。通信システムの通信容量を増加するためには、その割り当てられた帯域巾を更に効率的に利用しなければならない。
デジタル通信技術を使用すると、通信システムに割り当てられた帯域巾を更に効率的に利用する仕方が与えられる。デジタル技術を使用することにより、例えば、同じ周波数帯域が２つ以上のチャンネルを定義することができ、これにより周波数帯域の通信容量が２倍以上になる。
デジタル通信技術の使用は、セルラー及び他の無線通信システムによる非音声データの通信を含む通信サービスの導入を許した。
【０００５】
非音声データは、例えば、情報検索サービスの実行中に通信され、ネットサーチオペレーションがその一例である。ネットサーチオペレーションでは、サーチ装置がサーチパターンを形成し、そしてそのサーチパターンを、ウェブブラウザとも称されるサーチエンジンへ供給する。従来のワイヤラインシステムでは、サーチ装置は、通常、サーチパターンをパーソナルコンピュータのような計算ステーションに入力する。この計算ステーションは、通常、インターネットにより、ウェブブラウザサーチエンジンが常駐するリモートサーバーに接続される。サーチエンジンは、サーチを実行し、そしてサーチ結果を、これも又通常はインターネットを経て、サーチパターンが発信された計算ステーションへ返送する。次いで、サーチ結果が計算ステーションに表示される。
【０００６】
移動ステーションの計算容量が高まると共に、デジタル通信技術を用いて通信する容量が高まるにつれて、ある移動ステーションは、例えば、インターネットによるネットワーク型通信を行うことができる。即ち、インターネット接続により通信を行えるようにフォーマットされた通信信号は、移動ステーションにより通信することができ、無線リンクを経てセルラー通信システムのネットワークインフラストラクチャーへ、そしてその後、インターネット接続により別の位置へ送信される。
例えば、このような移動ステーションのユーザは、サーチパターンを移動ステーションに入力して、ネットサーチオペレーションの実行を開始することができる。サーチパターンは、通常、移動ステーションの一部分を形成するキーボードを使用することにより入力される。従来サイズの入力用キーボードを通常使用するパーソナルコンピュータのような従来型計算ステーションとは異なり、移動ステーションは、通常、その携帯性を維持するために非常に小さなサイズのキーボードを使用する。移動ステーションに一般に使用されるキーボードのサイズが小さいために、ユーザによるサーチパターンのようなデータのキーストローク入力は、従来サイズのキーボードのように容易に実行されない。
【０００７】
サーチパターンを入力するユーザは、異なる時期に同じサーチパターンを入力することがある。即ち、移動ステーションのユーザは、サーチパターンを初めて入力し、そしてその後に、同じサーチを実行しようとすることがある。同じサーチをその後に実行する場合、これまでは、同じサーチパターンを再入力する必要があった。従来サイズのキーボードでは、このようなサーチパターンの再入力は著しい労力を必要としない。移動ステーションの小さなサイズのキーボードでこのような入力が必要とされるときには、その再入力の不便さが若干大きなものとなる。
サーチパターンを再入力するのに必要な労力を低減する方法を提供できれば、移動ステーション等を動作する便利さが改善されることになろう。
移動ステーションに関連したこのような背景情報に鑑み、本発明の顕著な改良が展開された。
【０００８】
【発明の開示】
従って、本発明は、セルラー通信システムのような無線通信システム内で動作できる移動ステーション用のユーザインターフェイス及びその関連方法を効果的に提供する。
本発明の実施形態の動作により、サーチパターンを入力してネットサーチオペレーションを実行するためにユーザが移動ステーションを使用する便利さの改善が容易にされ、これにより、このような通信サービスに準じた移動ステーションの使用し易さが高められる。
本発明の１つの特徴において、ネットサーチオペレーションに準じて移動ステーションのユーザにより入力されたサーチパターンは、移動ステーションに選択的に記憶される。同じネットサーチオペレーションがその後に実行される場合には、既に記憶されているサーチパターンが検索される。検索されると、サーチパターンは、その後のネットサーチオペレーションに準じて再使用される。以前に記憶されたサーチパターンが検索されるために、移動ステーションのユーザは、全サーチパターンを再入力する必要がない。これにより、通常、小さなサイズの入力キーボードを含む移動ステーションの使用が容易になる。
【０００９】
１つの実施形態において、移動ステーションは、移動ステーションのユーザにより入力された複数のサーチパターンを記憶するための記憶要素を備えている。ユーザは、移動ステーションのキーボードによりユーザが入力した後にサーチパターンを記憶するように選択する。例えば、移動ステーションのキーボードのアクチュエータを適当に操作することにより、ユーザにより選択がなされる。適当なキーボード入力の検出がなされると、入力されたサーチパターンが記憶要素に記憶される。入力されたサーチパターンを記憶するための選択は、ユーザが入力した後にいつでも行われる。即ち、ユーザは、ウェブブラウザサーチエンジンにサーチパターンを送信する前、又はネットサーチオペレーションの結果をウェブブラウザサーチエンジンから受け取った後に、入力されたサーチパターンの記憶を選択することができる。従って、ユーザは、サーチパターンが希望の結果を生じるとユーザが決定した後にサーチパターンの記憶を選択することができる。
【００１０】
別の実施形態では、記憶要素は、複数のサーチパターンを記憶することができ、各サーチパターンは、移動ステーションのユーザにより記憶するように選択されるか、又は記憶要素に常駐される。記憶要素に記憶された各サーチパターンの指示は、移動ステーションのユーザディスプレイに表示することができる。ユーザディスプレイにおけるこの指示の表示は、例えば、このような表示を要求するために移動ステーションの操作キーボードをユーザが適当に操作するのに応答して発生される。その後、ユーザは、記憶要素に記憶されたサーチパターンの指示の表示から、サーチパターンの選択された１つの検索を選択する。選択されたサーチパターンの検索が選択されると、そのサーチパターンが記憶要素から検索される。次いで、サーチパターンは、移動ステーションにより、その移動ステーションが動作できる無線通信システムのネットワークインフラストラクチャーで形成された無線リンクを経て送信され、そしてウェブブラウザサーチエンジンが配置されたウェブブラウザサーバーへルート指定される。ネットサーチオペレーションが実行され、そしてその結果が移動ステーションに返送されて、そのユーザディスプレイに表示される。移動ステーションの記憶要素に予め記憶されたサーチパターンの検索は、サーチパターンが形成されるキャラクタストリングを移動ステーションの小さなサイズのキーボードによりユーザが入力する必要性を排除する。これにより、ネットサーチオペレーションの実行を開始するための移動ステーションの改善された操作便利性が与えられる。
【００１１】
ここに示す実施形態では、移動ステーションは、セルラー通信システム、例えば、ＣＤＭＡ（コード分割多重アクセス）又はＴＤＭＡ（時分割多重アクセス）通信構成に基づいて動作し得るセルラー通信システムにおいて動作することができる。移動ステーションのためのユーザインターフェイスが提供され、これは、アルファニューメリックキャラクタを入力するためにユーザが操作できる操作キーボードを備え、上記アルファニューメリックキャラクタは、入力されると、サーチパターンを定義するデータシーケンスを形成する。サーチパターンは、記憶要素に選択的に記憶され、後で記憶要素から検索される。ユーザインターフェイスは、更に、操作キーボードの選択されたキーの操作に基づきユーザにより入力されたキャラクタを表示するためのユーザディスプレイを備えている。ユーザディスプレイは、更に、移動ステーションに発生されてどこかに送信されたサーチパターンに応答して実行されたネットサーチオペレーションに基づいて移動ステーションに供給されたサーチ結果を表示するように動作できる。又、記憶要素に選択的に記憶されたサーチパターンの指示もユーザディスプレイに表示できる。この指示の表示に応答して、ユーザは、この場合も、キーボードアクチュエータの操作キーを適当に操作することにより、記憶要素に記憶されたサーチパターンの検索を行うことができる。検索されたサーチパターンは、そのサーチパターンを形成するデータシーケンスのキャラクタをユーザが再び入力する必要なく、サーチパターンによって定義されたネットサーチオペレーションの実行を開始するように再使用できる。
【００１２】
それ故、これら及び他の特徴において、無線通信システム内で動作できる移動ステーションのためのユーザインターフェイス装置及びその関連方法が提供される。移動ステーションは、少なくとも、ネットサーチオペレーションに基づいてサーチパターンを発生するように動作できる。各サーチパターンは、データシーケンスで形成される。ユーザインターフェイス装置は、移動ステーションのユーザにより開始されるネットサーチオペレーションを容易にする。記憶要素は、第１のネットサーチオペレーションに基づいてユーザにより入力された少なくとも第１のサーチパターンを記憶するように選択的に動作できる。検索装置は、少なくとも第１のサーチパターンの選択されたサーチパターンを検索するためのユーザによる要求を受け取るように記憶要素に接続される。検索装置は、その要求に応答して、記憶要素から選択されたサーチパターンを検索する。この選択されたサーチパターンは、検索されると、その後のネットサーチオペレーションに基づいて使用できる。
【００１３】
【発明を実施するための最良の形態】
本発明及びその範囲は、添付図面、好ましい実施形態の以下の詳細な説明及び特許請求の範囲から完全に理解されよう。
先ず、図１を参照すれば、参照番号１０で一般的に示された無線通信システムは、移動ステーション１２と無線通信を行うように動作できる。ここに示す実施形態では、通信システム１０の無線部分は、セルラー通信システム、例えば、ＣＤＭＡ（コード分割多重アクセス）又はＴＤＭＡ（時分割多重アクセス）通信構成に基づいて動作し得るセルラー通信システムを形成する。他の実施形態では、通信システムの無線部分は、他の形式の無線通信システムで形成され、そして対応的に、移動ステーション１２は、これら他の無線通信システムにおいて動作できる。それ故、本発明の動作例についての以下の説明は、セルラー通信システムについて述べるが、本発明の実施形態は、他の形式の無線通信システムにおいても同様に動作できる。
【００１４】
移動ステーションは、データソース１６から発せられたデータが供給される送信回路１４を含む送信部を備えている。送信回路は、従来の仕方で動作し、そこに送られたデータを高周波レベルに変換する。送信回路は、例えば、無線周波数の変調された信号を発生するために変調及びアップ変換要素を備えている。送信回路１４によって発生された信号は、アンテナトランスジューサ１８により電磁形態に変換された後に、無線リンク２２に通信される。
又、移動ステーションは、アンテナトランスジューサ１８に接続された受信回路２４を含む受信部も備えるように示されている。無線リンク２２により移動ステーション１２へ通信された通信信号は、トランスジューサ１８において電気的形態に変換され、そして受信回路２４に供給される。受信回路２４にはデータシンク２６が接続され、受信回路の動作中に回復されたあるデータが供給されるところの行先を形成する。送信及び受信回路１４及び２４の動作を通じて、両方向通信が無線リンク２４によって許される。
【００１５】
ここに示す実施形態では、移動ステーションは、音声及び非音声の両データを通信するように動作できる。移動ステーションは、ここでは、インターネットのようなパケットデータネットワークに通信するようにフォーマットされたデータを発生しそして受け取るように動作できる。従来のワイヤライン接続によりインターネットに接続されたパーソナルコンピュータのような従来のワークステーションに提供され又はそこで開始される通信サービスは、ワイヤライン接続だけではなく無線ネットワーク２２を経ても移動ステーションにより実行できる。従って、ウェブブラウジング要求のようなネットサーチオペレーションは、移動ステーション１２を使用することにより実行できる。
【００１６】
通信システム１０は、ここでは、移動ステーション１２が通信するネットワーク部分も含むように示されている。このネットワーク部分は、無線部分及びパケットデータ部分の両方を含む。ネットワーク部分の無線部分は、ベースステーションシステム（ＢＳＳ）３４が接続されて一部分を形成するところの無線ネットワーク３２を含む。無線ネットワーク３２は、ゲートウェイ３６により、インターネットバックボーンのようなパケットデータネットワーク３８に接続される。ウェブブラウザサーバー４２は、ここでは、パケットデータネットワークに接続されて示されている。通信システム１０の動作中に、移動ステーション１２とウェブブラウザサーバー４２との間で、無線リンク１２を経そしてベースステーションシステム３４、無線ネットワーク３２、ゲートウェイ３６及びパケットデータネットワーク３８を含むネットワーク部分を経て、通信経路が形成される。
【００１７】
移動ステーション１２で発生されたサーチパターンで形成されるサーチ要求は、ネットサーチオペレーションを開始するために移動ステーションとウェブブラウザサーバーとの間に形成された通信経路に通信される。従来のやり方では、ウェブブラウザサーバーにサーチパターンが受け取られたときに、そこに常駐するサーチエンジンが、従来の形態でウェブベースのサーチを実行する。ネットサーチオペレーションの結果は、通信経路を経て移動ステーションへ返送される。これにより、ネットサーチオペレーションの結果が移動ステーションに与えられる。
移動ステーション１２は、ユーザインターフェイス４４を備え、これにより、移動ステーションのユーザは移動ステーションを操作する。更に、移動ステーションの他の機能の動作を実行するために、移動ステーションのユーザは、このユーザインターフェイスを使用して、ネットサーチオペレーションを開始しそしてその結果を検討する。
【００１８】
ユーザインターフェイス４４は、操作キーボードで形成されたユーザアクチュエータ４８を備えている。上述したように、移動ステーションの携帯を容易にするために、操作キーボードは、一般に、比較的寸法の小さいものである。操作キーボードの小さなサイズは、移動ステーションの携帯を容易にするが、このような小さなサイズは、操作キーボードの操作キーの操作によるデータの入力を若干困難にする。本発明の実施形態の動作により、入力されたサーチパターンを移動ステーションに記憶できることにより、移動ステーションを使用してネットサーチオペレーションを実行することが著しく容易にされる。サーチパターンは、いったん記憶されると、検索した後に再使用することができる。移動ステーションのユーザが、既に使用されて記憶されたサーチパターンと同様又は同一のサーチパターンを使用してネットサーチオペレーションを開始しようとする場合には、操作キーパッドの付加的な操作により付加的な情報を入力する必要性が低減される。
【００１９】
それ故、ユーザインターフェイス４４は、本発明の実施形態の動作を許す付加的な要素も含む。又、ユーザインターフェイスは、ユーザアクチュエータ４８に接続されたサーチ問合せ発生器５２も含む。この発生器５２は、移動ステーションのユーザがユーザアクチュエータの操作キーを操作するのに応答して、そこからサーチパターンを形成するように動作する。サーチ問合せ発生器５２により形成されたサーチパターンは、ここでは、ライン５４により送信回路１４に供給される。
入力されたサーチ問合せは、一時的バッファ５６に記憶もされ、このバッファは、説明上、サーチ問合せ発生器５２とは機能的に個別のものとして示されている。実際の場合には、発生器５２及びバッファ５６は、単一の要素を形成する。一時的バッファ５６は、ここでは、ライン５８によりユーザアクチュエータ４８に接続されるように更に示されている。ユーザアクチュエータを選択的に操作すると、ライン５８に信号が発生されて、一時的バッファに記憶されたサーチ問合せをサーチ問合せメモリ６２に記憶させ、このメモリ６２には一時的バッファ５６がライン６４により接続されている。従って、ユーザにより操作キーパッドの操作を介して入力されて一時的バッファ５６に記憶されたサーチ問合せは、その後、操作キーボードの付加的な適当な操作によりサーチ問合せメモリ６２に記憶することができる。ここに示す実施形態では、サーチ問合せメモリ６２は、複数のサーチ問合せを記憶することのできる読み取り／書き込みメモリである。別の実施形態では、サーチ問合せメモリは、通信システムのネットワーク部分に配置される。このような実施形態の動作は、サーチ問合せを記憶するためのユーザによる選択がネットワーク部分に通信されるという点で、図示されたものとは異なる。
【００２０】
サーチ問合せが送信回路１４に供給されたときには、その問合せがウェブブラウザサーバー４２への通信を許す形態に変換され、ウェブブラウザサーバー４２においてネットサーチオペレーションが実行されそしてサーチ結果が移動ステーションに返送される。ここで、ネットサーチオペレーションの結果を含む信号が通信システムのネットワーク部分を経、無線リンク２２を経て通信され、そしてアンテナトランスジューサ１８により電気的形態に変換される。結果を含む信号は、受信回路２４に送られる。ユーザディスプレイ６８がライン７２により受信回路に接続され、ネットサーチオペレーションの結果が受信回路によりユーザディスプレイ６８に表示される。ここに示す実施形態では、ユーザディスプレイは、ＬＣＤ（液晶ディスプレイ）等を形成する。これにより、移動ステーションのユーザには、ネットサーチオペレーションの結果が与えられる。
【００２１】
ネットサーチオペレーションの結果を表示することにより、移動ステーションのユーザには、既に入力されたサーチ問合せの成功の指示が与えられる。結果が成功であると決定された場合には、ユーザは、操作キーボードの適当な操作キーを依然として操作して、一時的バッファ５６に記憶されたサーチ問合せをサーチ問合せメモリ６２に記憶させることができる。これにより、サーチ問合せメモリにサーチ問合せを記憶する判断は、ネットサーチオペレーションの結果が得られてユーザディスプレイに表示されるまで延期される。
又、ユーザインターフェイス４４は、ライン７６によりユーザアクチュエータ４８に接続されたサーチ問合せ検索装置７４も備えている。このサーチ問合せ検索装置は、更に、ライン７８によりサーチ問合せメモリ６２にも接続される。サーチ問合せ検索装置７４は、操作キーボード４８の操作キーを適当に操作するのに応答して、サーチ問合せメモリ６２に記憶されたサーチ問合せを検索するように動作できる。サーチ問合せメモリ６２に記憶されたサーチ問合せの指示も、ライン８２により供給されてユーザディスプレイ６８に表示することができ、サーチ問合せメモリに記憶されたサーチ問合せをユーザに指示することができる。ライン８２は、送信回路１２にも接続され、検索装置により検索されたサーチ問合せを送信回路へ供給し、その後、ウェブブラウザサーバー４２へ通信し、ここでネットサーチオペレーションがその後に実行される。
【００２２】
その後のサーチは、サーチ問合せメモリ６２に既に入力されて記憶されたサーチ問合せを検索することにより開始されるので、再びユーザアクチュエータ４８の操作キーを操作することによりサーチ問合せを再入力する必要はない。これにより、サーチ問合せを形成するアルファニューメリックデータのシーケンスをその入力に再入力する必要はない。むしろ、ユーザアクチュエータ４８の操作キーの操作は、既に記憶されたサーチ問合せを、その後のネットサーチオペレーションに再使用すべく検索するだけでよい。１つの実施形態において、サーチ問合せメモリからサーチ問合せが検索されると、その検索されたサーチ問合せの変更又は他の修正を、ユーザがユーザアクチュエータの操作キーを適当に操作することにより実行できる。これにより、サーチ問合せ全体を完全に再入力する必要なく、既に入力されたサーチ問合せを修正することができる。
【００２３】
図２は、図１に示された移動ステーションのユーザディスプレイに表示される表示例を８６で一般的に示している。この表示８６は、ネットサーチオペレーションを開始する前にユーザディスプレイに表わすことのできる表示である。ここでは、選択メニューにより、移動ステーションのユーザは、移動ステーションの種々のオペレーションのいずれかを開始することができる。ユーザは、オプション８８を含む多数のオプションの１つを選択するように促され、それを選択すると、移動ステーションのユーザアクチュエータ４８を経て入力されるべき新たなサーチ問合せを形成することができる。メニュー選択９２は、既に記憶されたサーチ問合せを検索するための検索オペレーションを開始することができる。移動ステーションの付加的なオペレーションは、選択メニュー８６の適当なメニュー入力を選択することに応答して実行できる。ここで、メニュー選択９４は、移動ステーションのこのような他の選択可能なオペレーションを表わす。
【００２４】
図３は、図２に示すスクリーン表示８６のメニュー選択８８が選択されるのに応答して、図１に示す移動ステーション１２のユーザディスプレイ６８に発生される表示を９６で一般的に示している。ここで、表示９６は、ユーザによりサーチ問合せが入力されたときにその問合せが表示されるウインドウ９８を含む。この表示は、入力されたサーチ問合せを送信してサーチ問合せメモリ６２に記憶させるためにユーザにより選択できるメニュー選択１０２及び１０４を含む。
図４は、ユーザディスプレイ６８に表示できる別のスクリーン表示を１０８で一般的に示している。このスクリーン表示１０８は、図２に示すスクリーン表示８６のメニューオプション９２をユーザが選択した後に表示されるスクリーンを表わす。即ち、スクリーン表示１０８は、移動ステーションのユーザが既に記憶されたサーチ問合せを検索するよう希望するときに表示される。ここで、スクリーン表示は、サーチ問合せメモリに記憶された異なるサーチ問合せの指示１１２を含む。指示１１２で示された特定のサーチ問合せが選択されると、そのサーチ問合せが検索され、その後、後続するネットサーチオペレーションに基づいて再使用される。
【００２５】
図５は、本発明の実施形態の動作方法を１２０で一般的に示している。スタートブロック１２２で示された入力の後に、判断ブロック１２４において、セーブされたサーチ問合せを再使用すべきかどうかの判断がなされる。このような判断は、例えば、図２に示すスクリーン表示８６のメニュー選択８８及び９２のユーザ選択に応答して行われる。セーブされたサーチ問合せを使用すべきでない場合には、判断ブロック１２４からブロック１２６へのノー分岐がなされ、ここで、ユーザによりサーチ問合せが入力される。次いで、ブロック１２８で示すように、入力されたサーチ問合せが、図１に示すバッファ５６のような一時的バッファに記憶される。
逆に、判断ブロック１２４において、既に記憶されたサーチ問合せを検索すべきであると決定された場合には、判断ブロックからブロック１３２へイエス分岐がなされ、ここでは、複数の記憶されたサーチ問合せのどれを検索すべきかの選択がなされる。ブロック１２８及び１３２からなされる分岐は、ブロック１３４へと延び、ここでは、ユーザにより入力されるか又はサーチ問合せメモリから検索されたサーチ問合せが、図１に示すサーバー４２のようなウェブブラウザサーバーへ送られる。次いで、ブロック１３６で示すように、サーチ結果が検出され、そして移動ステーションのユーザディスプレイに表示される。
【００２６】
次いで、判断ブロック１３８で示すように、サーチ問合せがセーブされたかどうかの判断がなされる。セーブされていなければ、ノー分岐が判断ブロック１４２へなされ、ここで、入力されたサーチ問合せをユーザがセーブしたいかどうかの付加的な判断がなされる。もしそうであれば、イエス分岐がブロック１４４へなされ、サーチ問合せがセーブされる。逆に、判断ブロック１３８において、既に記憶されたサーチ問合せの検索のように、サーチ問合せが既にセーブされていると決定された場合には、イエス分岐が終了ブロック１４６へなされる。更に、ブロック１４２においてユーザがサーチ問合せのセーブを望まないと決定された場合には、ノー分岐がそこからブロック１４５へなされる。ブロック１４５では、サーチ問合せがＦＩＦＯ（先入れ先出し）バッファにセーブされ、このバッファには、ユーザによる要求がなくても、最新のサーチ問合せ、ここでは、Ｘ個の最新のサーチ問合せが記憶される。このＦＩＦＯバッファは、ここに示す実施形態では、メモリ６２に形成され、そしてその内容は、上述したのと同様に検索できる。別の実施形態では、判断ブロック１４２から終了ブロック１４６へ経路が直接的に延びる。
【００２７】
従って、本発明の実施形態の動作により、ネットサーチオペレーションを実行するための移動ステーション操作の便利さが改善された。以前に入力されたサーチ問合せをサーチ問合せメモリに記憶することにより、同じサーチ問合せを使用すべきときに、移動ステーションのユーザは、その問合せ全体を再入力する必要がない。
以上の説明は、本発明を実施するための好ましい実施形態について述べたものであり、本発明の範囲は、必ずしもこの説明に限定されるものではない。本発明の範囲は、特許請求の範囲のみによって限定される。
【図面の簡単な説明】
【図１】本発明の実施形態が動作し得る無線通信システムの機能的ブロック図である。
【図２】図１に示した移動ステーションの一部分を形成するユーザインターフェイスの動作中に発生されるスクリーン表示の一例を示す図である。
【図３】図１に示した移動ステーションの一部分を形成するユーザインターフェイスの動作中に発生されるスクリーン表示の別の例を示す図である。
【図４】図１に示した移動ステーションの一部分を形成するユーザインターフェイスの動作中に発生されるスクリーン表示の更に別の例を示す図である。
【図５】本発明の実施形態の動作方法を示しフローチャートである。
【図１】
2004502206.tif 000003
【図２】
2004502206.tif 000004
【図３】
2004502206.tif 000005
【図４】
2004502206.tif 000006
【図５】
2004502206.tif 000007
【国際公開パンフレット】
2004502206.tif 000008
2004502206.tif 000009
2004502206.tif 000010
2004502206.tif 000011
2004502206.tif 000012
2004502206.tif 000013
2004502206.tif 000014
2004502206.tif 000015
2004502206.tif 000016
2004502206.tif 000017
2004502206.tif 000018
2004502206.tif 000019
2004502206.tif 000020
2004502206.tif 000021
2004502206.tif 000022
2004502206.tif 000023
2004502206.tif 000024
2004502206.tif 000025
2004502206.tif 000026
2004502206.tif 000027
2004502206.tif 000028
2004502206.tif 000029
2004502206.tif 000030
2004502206.tif 000031
2004502206.tif 000032
2004502206.tif 000033
【国際公開パンフレット（コレクトバージョン）】
2004502206.tif 000034
2004502206.tif 000035
2004502206.tif 000036
2004502206.tif 000037
2004502206.tif 000038
2004502206.tif 000039
2004502206.tif 000040
2004502206.tif 000041
2004502206.tif 000042
2004502206.tif 000043
2004502206.tif 000044
2004502206.tif 000045
2004502206.tif 000046
2004502206.tif 000047
2004502206.tif 000048
2004502206.tif 000049
2004502206.tif 000050
2004502206.tif 000051
2004502206.tif 000052
2004502206.tif 000053
2004502206.tif 000054
2004502206.tif 000055
2004502206.tif 000056
【国際公開パンフレット（コレクトバージョン）】
2004502206.tif 000057
2004502206.tif 000058
【国際調査報告】
2004502206.tif 000059
2004502206.tif 000060
2004502206.tif 000061